(57)【要約】【課題】ヘッドケース部にモータを内蔵した歯科用マイクロエンジンハンドピースにおいて、前記モータのロータ部にチャック機構及びベアリングを一体的に取り付けて構成して、この一体的に構成されたロータ部をヘッドケース部に一体構成の状態で着脱可能とし、これにより修理時等における分解・組立作業を容易にする。【解決手段】ヘッドケース部２にモータを有する歯科用マイクロエンジンハンドピースにおいて、前記モータは、ヘッドケース部２に設けられたステータ用界磁巻線３と、該ステータ用界磁巻線３内に装着されるロータ部１０よりなる。ロータ部１０は回転軸（筒）１１内にチャック機構を有するとともに、該回転軸（筒）１１の外部中央部にロータ磁石１４を有し、かつ該ロータ磁石１４の上下にベアリング１５，１６を一体的に有する。修理時等において、この一体構成のロータ部１０を一体構成のまま前記ヘッドケース部２内に装着可能とした。【選択図】        図１
2004229916.tif 000002
【特許請求の範囲】
【請求項１】
ヘッドケース部にモータを有する歯科用マイクロエンジンハンドピースにおいて、前記モータは、ヘッドケース本体内に設けられた界磁巻線よりなるステータ部と、回転筒内部にチャック機構を有するとともに、該回転筒の外部中央部にロータ用磁石を有し、かつ、該ロータ用磁石の軸方向上下に軸受けを一体的に有するロータ部とを具備し、前記ロータ部を着脱自在に前記ステータ部内に装着可能としたことを特徴とする歯科用マイクロエンジンハンドピース。
【請求項２】
前記ロータ部は、前記上下の軸受けの大きさ又は形状が異なることを特徴とする請求項１に記載の歯科用マイクロエンジンハンドピース。
【請求項３】
前記ステータ部内の界磁巻線は前記ヘッド本体に対して着脱自在であることを特徴とする請求項１又は２に記載の歯科用マイクロエンジンハンドピース。
【発明の詳細な説明】
【０００１】
【発明の属する技術分野】
本発明は、歯科用マイクロエンジンハンドピース、より詳細には、ヘッドケース部にマイクロモータを内蔵した歯科用マイクロエンジンハンドピースにおいて、前記モータのロータ部を、チャック機構とロータ用磁石と回転軸受け等で一体構成し、該一体構成のロータ部をヘッドケース部に着脱自在に装着し、かつ、ヘッドケース部から着脱自在に取り外すことができるようにした歯科用マイクロエンジンハンドピースに関する。
【０００２】
【従来の技術】
図４は、マイクロエンジンハンドピースの一例（特許文献１参照）を説明するための全体斜視図及び要部分解図で、図中、１は握持ケース部、２はヘッドケース部で、該ヘッドケース部２内には、ステータ用界磁巻線３、ロータ４、ベアリング５，６等から成るマイクロモータＭが収納され、該ヘッドケース部２の上部には蓋部材７が、下部にはスプレー部材８が着脱自在に装着されており、使用時、ロータ４の回転軸（筒）４ａに切削具が着脱自在に装着されるようになっている。
【０００３】
例えば、回転軸（筒）４ａ内には、筒状体の一方の端にスリットを有し、該スリットの開き度合を変えることにより、内径が変化するチャック部材と、該チャック部材の前記スリットの開き度合を変える開閉部材とが収納されており、周知のように、例えば、上部蓋部材７を押すことにより、前記開閉部材を上下させて前記チャック部材を開閉させる機構が収納されている。
【０００４】
【特許文献１】
特許第３１４８７８４号公報
【０００５】
【発明が解決しようとする課題】
上記マイクロエンジンハンドピースは、上述のように、ヘッドケース２内にステータ用界磁巻線３、ロータ４、ベアリング５，６等を個別に装着内蔵させるもので、修理時等において、これら多々の部品を取り外し、組み立てる作業が大変であった。
【０００６】
本発明は、上述のごとき実情に鑑みてなされたもので、特に、ヘッドケース部にモータを内蔵した歯科用マイクロエンジンハンドピースにおいて、前記モータのロータとチャック機構とベアリングとを一体的に構成して、修理時における部品の着脱作業を容易にして、手軽に消耗品部を交換し得るようにすることを目的としてなされたものである。
【０００７】
【課題を解決するための手段】
請求項１の発明は、ヘッドケース部にモータを有する歯科用マイクロエンジンハンドピースにおいて、前記モータは、ヘッドケース本体内に設けられた界磁巻線によりなるステータ部と、回転筒内部にチャック機構を有するとともに、該回転筒の外部中央部にロータ用磁石を有し、かつ、該ロータ用磁石の軸方向上下に軸受けを一体的に有するロータ部とを具備し、前記ロータ部を着脱自在に前記ステータ部内に装着可能としたことを特徴としたものである。
【０００８】
請求項２の発明は、請求項１の発明において、前記ロータ部は、前記上下の軸受けの大きさ又は形状が異なることを特徴としたものである。
【０００９】
請求項３の発明は、請求項１又は２の発明において、前記ステータ部内の界磁巻線は前記ヘッド本体に対して着脱自在であることを特徴としたものである。
【００１０】
【発明の実施の形態】
図１は、本発明による歯科用マイクロエンジンハンドピースの一実施例を説明するための要部分解斜視図、図２はロータ部断面構成図、図３は組立後の要部断面構成図で、図中、１０はロータ部で、本発明においては、このロータ部１０は、図２に詳細に示すように、回転軸（筒）１１内にチャック部材１２を有し、チャック開閉部材１７をばね部材１３に抗して押すことによって、該チャック部材１２を開き、チャックを開いた状態で、歯牙治療用のバー９を挿入し、該バー９を挿入した後に、チャック開閉部材１７を押す力を離すことによって、チャック部材１２がばね部材１３によって上方に押し戻され、これによって、チャックが閉じられ、これによって、歯牙治療用バー９を回転軸（筒）１１内に保持することができる。回転軸１１の外側中央部にはロータ用磁石１４が一体的に取り付けられ、該ロータ用磁石１４の上下の両端にはベアリング１５，１６が一体的に取り付けられ、これらによりロータ部１０が一体的に構成され、この一体構成部材が一体的にヘッドケース部に着脱自在に装着されるようになっている。
【００１１】
ヘッドケース部２内には、ステータ用の界磁巻線３が固定して或いは着脱自在に装着されており、この界磁巻線３の中に前述の一体構成のロータ部１０が着脱自在に装着されるようになっており、該界磁巻線３に電流を流すことにより、ロータ部１０が回転される。図示例の場合、ベアリング１６の直径はベアリング１５の直径よりも小さくなっており、これにより、ロータ部１０をヘッドケース部２に装着する時の挿入方向の間違いをなくすようにしているが、図示例に限ることなく、例えば、ベアリングの外側形状を変える等して挿入方向の間違いをなくすようにしてもよい。
【００１２】
【発明の効果】
以上に説明したように、本発明によると、ヘッドケース内にモータを有する歯科用マイクロエンジンハンドピースにおいて、モータのロータ部を、回転筒、該回転筒内に装着されたチャック機構、ロータ用磁石、ベアリング等で一体構成とし、これら一体構成のロータ部を一体的にヘッドケース部に装着し或いは取り外すことができるようにしたので、組立時或いは分解修理時等における作業が非常に楽になり、ベアリングやチャック機構等の消耗品を手軽に交換することができる。また、界磁巻線の入ったヘッドケース部も単独で切り離すことができるので、交換箇所を少なくして、修理時間を短縮し、修理費用を低減することができる。
【図面の簡単な説明】
【図１】本発明による歯科用マイクロエンジンハンドピースの一実施例を説明するための要部分解斜視図である。
【図２】本発明の実施に使用するロータ部の断面構成図である。
【図３】本発明による歯科用マイクエンジンハンドピースの組立後の要部断面構成図である。
【図４】従来の歯科用マイクロエンジンハンドピースの一例を説明するための図である。
【符号の説明】
１…マイクロエンジンハンドピースの握持部、２…ヘッドケース部、３…ステータ用界磁巻線、４…ロータ、５，６…ベアリング、７…上部蓋部材、８…下部スプレー部材、９…歯牙治療用バー、１０…ロータ部、１１…回転軸（筒）、１２…チャック部材、１３…ばね部材、１４…ロータ用磁石、１５，１６…ベアリング、１７…チャック開閉部材。
【図１】
2004229916.tif 000003
【図２】
2004229916.tif 000004
【図３】
2004229916.tif 000005
【図４】
2004229916.tif 000006